(57)【要約】      （修正有）【課題】遊技場における遊技者間の病気の感染を防止できる遊技台のハンドル用カバーを提供する。【解決手段】袋体２（ハンドル用カバー）は、一枚の矩形のレーヨン１を折り返し、両縁を接着または縫合することにより袋状に形成する。ハンドル用カバー２の使用方法に当っては、まず、ハンドル用カバー２の内外面全体に、医療用の液体アルコール等の抗菌剤３を染み込ませる。次いで、開店前または営業中において試用されていない遊技機５のハンドル６には、抗菌剤３を染み込ませたハンドル用カバー２を開口部より被せて装着する。これにより、装着したハンドル用カバー２から抗菌剤３がハンドル６に染み出し、ハンドル６が殺菌等されると共に、抗菌されることとなる。【選択図】図２
0003154487.tif 000002
【実用新案登録請求の範囲】
【請求項１】
一枚以上の布地（１）より形成した一端が開口する袋体（２）に、抗菌剤（３）を含有させることを特徴とする遊技機のハンドル用カバー。
【考案の詳細な説明】
【技術分野】
【０００１】
本考案は、遊技機のハンドル用カバーに関するものである。
【背景技術】
【０００２】
現在、世界で流行している新型インフルエンザの影響により、人々は多数の人が集まる場所への外出を自粛する傾向にあり、経済的な損失も拡大している。
【０００３】
パチンコ店等の遊技場は、大勢の遊技者が集まる場所である。そのため、感染症が流行すると、遊技者の来場数が減少する可能性があり、遊技場の売り上げも激減するおそれがある。また、遊技場に設置されたパチンコ等の遊技機は、複数の遊技者が入れ替り立ち代わり遊技を行うものであり、遊技機のハンドル等は、複数の遊技者に触れられる。そのため、新型インフルエンザを含め、病気に感染している患者が遊技した場合、その遊技機のハンドル等を介して、その後同じ遊技機を遊技した者が病気に感染してしまう可能性がある。
【考案の概要】
【考案が解決しようとする課題】
【０００４】
そこで、本考案は上記課題を解決するためになされたものであり、遊技場における遊技者間の病気の感染を防止できる遊技台のハンドル用カバーを提供し、遊技者が遊技場に安心して来場し遊技できるようにすることを目的とする。
【課題を解決するための手段】
【０００５】
本考案の遊技機用のハンドル用カバーは、一枚以上の布地から形成した一端が開口する袋体に、抗菌剤を含有させることを特徴とする。
【０００６】
これによると、ハンドル用カバーに抗菌剤を含有させ、ハンドル用カバーを遊技機のハンドルに被せて使用することができる。そして、ハンドル用カバーに含まれる抗菌剤が遊技機のハンドルに付着し、遊技機のハンドルが抗菌剤で覆われることとなる。
また、別の使用方法として、本考案のハンドル用カバーを用いて遊技機やその周辺の設備等を拭いたりすることもできる。
ここで、袋体の布地は、繊維により形成すると抗菌剤を含有させやすくなる。また、繊維は特に限定されるものではなく、天然繊維であってもよいし、人造繊維であってもよい。また、抗菌剤についても、特に限定されるものではないが、例えば殺菌剤や防カビ剤等、病原菌を殺菌消毒する物質又は菌の繁殖を抑止する物質を使用する。
【考案の効果】
【０００７】
本考案によると、使用されていない遊技機のハンドルにハンドル用カバーを被せておくと、ハンドルに付着した病原菌を殺菌・消毒等すると共に、ハンドルへの病原菌等が付着するのを防止することができる。また、遊技機やその周辺設備等のうち、ハンドル用カバーを用いて拭いた部分についても同様に殺菌消毒等することができる。その結果、現在、人々が感染を恐れている新型インフルエンザを含め、遊技場内における遊技者の病原菌への感染を防止することができ、遊技者は安心して来場し、遊技を楽しむことができる。
【図面の簡単な説明】
【０００８】
【図１】本考案に係るハンドル用カバーの実施形態を示す斜視図。
【図２】ハンドル用カバーの使用状況を表す斜視図（装着前）。
【図３】ハンドル用カバーの使用状況を表す斜視図（装着中）。
【考案を実施するための形態】
【０００９】
以下、本考案の遊技機のハンドル用カバーの実施形態について、図面を用いて説明する。図１は、本考案のハンドル用カバーの実施形態を示す。
【００１０】
袋体２（ハンドル用カバー）については、一枚の矩形のレーヨン１を折り返し、両縁を接着または縫合することにより袋状に形成する。ここで、袋体２の布地１を形成する繊維については、前記レーヨン１に特に限定されるものではなく、様々な繊維からなる布地１を適用することができる。また、袋体２は、一枚の布地１からの形成だけではなく、複数枚の布地１を使用して形成することもできる。また、袋体２の形状についても特に限定されるものではなく、上記のように布地１を重ね合わせた形状としてもよいし、円柱等の柱状としてもよい。
【００１１】
ハンドル用カバー２の使用方法については、まず、ハンドル用カバー２の内外面全体に、医療用の液体アルコール等の抗菌剤３を染み込ませる。抗菌剤３は、スプレー４等によりハンドル用カバー２に吹き付けると、ハンドル用カバー２に満遍なく抗菌剤３を含有させることができる（図１参照）。なお、抗菌剤３は特に限定されるものではなく、病原菌を殺菌消毒し、又は繁殖を抑止する物質等から好適なものを選択ことができる。
【００１２】
そして、開店前または営業中において試用されていない遊技機５のハンドル６には、抗菌剤３を染み込ませたハンドル用カバー２を開口部より被せて装着する。これにより、装着したハンドル用カバー２から抗菌剤３がハンドル６に染み出し、ハンドル６が殺菌等されると共に、抗菌されることとなる。
【００１３】
遊技者が、遊技機５を利用する場合には、ハンドル用カバー２を取り外して遊技を行う。また、遊技者は、遊技中、ハンドル用カバー２を用いて遊技機５または周辺の設備のうち雑菌や汚れが気になる部分を拭くことができる。拭いた部分は殺菌等され、汚れも落ちるので、当該部分を清潔にすることができる。
【００１４】
遊技者が、遊技を終えた遊技機５については、抗菌剤３を染み込ませたハンドル用カバー２を被せておく。これにより、上記と同様にハンドル６の殺菌等及び抗菌の効果が得られる。
【００１５】
以上のように、病原菌等が付着したり繁殖したりし易い遊技機５のハンドル６に、本考案のハンドル用カバー２を使用することにより、現在流行している新型インフルエンザも含め、遊技場内で遊技者が様々な病原菌等に感染することを防止できるので、遊技者は安心して遊技場に訪れ、遊技を楽しむことができる。
【符号の説明】
【００１６】
１    レーヨン（布地）
２    袋体（ハンドル用カバー）
３    抗菌剤
４    スプレー
５    遊技機
６    ハンドル
【図１】
0003154487.tif 000003
【図２】
0003154487.tif 000004
【図３】
0003154487.tif 000005
【手続補正書】
【提出日】平成21年8月6日(2009.8.6)
【手続補正１】
【補正対象書類名】実用新案登録請求の範囲
【補正対象項目名】請求項１
【補正方法】変更
【補正の内容】
【請求項１】
一枚以上の抗菌剤（３）を含有した布地（１）からなる一端が開口する袋体（２）形状の遊技機のハンドル用カバー。
【手続補正２】
【補正対象書類名】明細書
【補正対象項目名】０００４
【補正方法】変更
【補正の内容】
【０００４】
そこで、本考案は上記課題を解決するためになされたものであり、遊技場における遊技者間の病気の感染を防止できる遊技機のハンドル用カバーを提供し、遊技者が遊技場に安心して来場し遊技できるようにすることを目的とする。
【手続補正３】
【補正対象書類名】明細書
【補正対象項目名】０００５
【補正方法】変更
【補正の内容】
【０００５】
本考案の遊技機のハンドル用カバーは、一枚以上の抗菌剤を含有した布地からなる一端が開口する袋体形状の遊技機のハンドル用カバーである。